(57)【要約】【課題】  本考案は、ラック内に収納されている荷物の量にかかわらず、ラックの昇降動作に要する操作力の変化を緩和し、安定した昇降動作を実現した新規な吊り下げ補助装置を提供することを目的とする。【解決手段】  外側ケーシング内に配されたラックが垂直方向に昇降するように構成された昇降収納装置に備えられる吊り下げ補助装置であって、この吊り下げ補助装置は、前記ラックを吊り下げるための紐状部材、及び前記紐状部材を巻き回すためのドラム部材からなり、特に、前記ラックと前記紐状部材との接続状態を維持／解除するための切り替え手段が備えられていることを特徴とする吊り下げ補助装置。【選択図】  図５
0003123175.tif 000002
【実用新案登録請求の範囲】
【請求項１】
外側ケーシング内に配されたラックが垂直方向に昇降するように構成された昇降収納装置に備えられる吊り下げ補助装置であって、この吊り下げ補助装置は、前記ラックを吊り下げるための紐状部材、及び前記紐状部材を巻き回すためのドラム部材からなり、特に、前記ラックと前記紐状部材との接続状態を維持／解除するための切り替え手段が備えられていることを特徴とする吊り下げ補助装置。
【請求項２】
ドラム部材が、定荷重バネである請求項１に記載の吊り下げ補助装置。
【請求項３】
ドラム部材が、可変トルクドラムである請求項１に記載の吊り下げ補助装置。
【請求項４】
ラックと紐状部材の接続が、ラックに備えられた係止部と紐状部材に備えられた係合部との係止、又は、ラックに備えられた係合部と紐状部材に備えられた係止部との係止によって行われる請求項１ないし３のいずれか１項に記載の吊り下げ補助装置。
【考案の詳細な説明】
【技術分野】
【０００１】
本考案は、例えば、キッチンや厨房などにおける高所に備えられて、外側ケーシング内に配されたラックが垂直方向に昇降するように構成された昇降収納装置に備えられる吊り下げ補助装置に関する。
【背景技術】
【０００２】
最近市販のシステムキッチンや厨房などにおいては、当該キッチンや厨房の高所に、外側ケーシング内に配されたラックが垂直方向に昇降するように構成された昇降収納装置が装備されているものが一般的となっており、各種メーカーが様々なタイプの昇降収納装置について研究・開発を行っている。
【０００３】
このような昇降収納装置としては、吊り戸棚などの外側ケーシングの背面や側面にガイドレールなどを設置し、前記ガイドレールに沿って垂直方向に昇降自在になるようにラックを備えてなるものが一般的である。
【０００４】
そして、従来の昇降収納装置における前記ラックの昇降動作を行う昇降手段としては、電動モータなどの電動手段によりラックを昇降させる「電動式」のものや、ラックの重量と同じかそれよりやや重いカウンターウェイトを用いたいわゆる「吊り合い式」のもの、或いはラックを吊り下げるためのワイヤ、前記ワイヤを巻き回すためのワイヤドラム、及び前記ワイヤドラムに付勢力を与える付勢手段で構成された「ドラム式」のものが一般的である（例えば、特許文献１。）。
【０００５】
【特許文献１】特開２０００−２７０９３４号公報
【考案の開示】
【考案が解決しようとする課題】
【０００６】
しかしながら、ラック内に荷物が収納されるにつれ、前記昇降手段に掛かる負担が大きくなるため、電動手段の焼きつきや、使用者によるラックの昇降作業が困難になるといった問題が生じる。
【０００７】
この問題については、電動式の昇降手段においてはトルクの大きい電動モータなどを用いたり、吊り合い式の昇降手段においては重量の大きいカウンターウェイトを用いたり、ドラム式の昇降手段においては付勢力の大きい付勢手段を用いたりすることが考えられるが、トルクの大きい電動モータは消費電力が大きくなるため不経済であり、又、重量の大きいカウンターウェイトや付勢力の大きい付勢手段が用いられた昇降収納装置においては、ラックに収納される荷物の量が少ないときに、ラックの引き下げ作業に多大な労力が必要になったり、ラックの押し上げ作業時にラックが急上昇したりするといった問題が生じる。
【０００８】
そこで、本考案者は、このような問題を解決すべく鋭意検討を重ねた結果、外側ケーシング内に配されたラックが垂直方向に昇降するように構成された昇降収納装置に備えられる吊り下げ補助装置であって、この吊り下げ補助装置は、前記ラックを吊り下げるための紐状部材、及び前記紐状部材を巻き回すためのドラム部材からなり、特に、前記ラックと前記紐状部材との接続状態を維持／解除するための切り替え手段が備えられていることを特徴とする本考案の吊り下げ補助装置を開発するに至ったのである。
【０００９】
即ち、本考案者は、この種昇降収納装置におけるラックの昇降手段を補助する装置として、前記ラックを吊り下げるための紐状部材、及び前記紐状部材を巻き回すためのドラム部材からなり、特に、前記ラックと前記紐状部材との接続状態を維持／解除するための切り替え手段が備えられてなる本考案の吊り下げ補助装置を備えれば、ラック内に収納されている荷物の量の多少に応じて、前記ラックと前記紐状部材との接続状態を維持したり解除したりすることにより、ラック内に収納されている荷物の量にかかわらず、ラックの昇降動作に要する操作力の変化を緩和することができるとの知見を得たのである。
【００１０】
本考案は、上記知見に基づき完成されたものであり、ラック内に収納されている荷物の量にかかわらず、ラックの昇降動作に要する操作力の変化を緩和し、安定した昇降動作を実現した新規な吊り下げ補助装置を提供することを目的とする。
【課題を解決するための手段】
【００１１】
以上の課題を解決する手段である本考案の吊り下げ補助装置は、外側ケーシング内に配されたラックが垂直方向に昇降するように構成された昇降収納装置に備えられる吊り下げ補助装置であって、この吊り下げ補助装置は、前記ラックを吊り下げるための紐状部材、及び前記紐状部材を巻き回すためのドラム部材からなり、特に、前記ラックと前記紐状部材との接続状態を維持／解除するための切り替え手段が備えられていることを特徴とする。
以下、本考案の吊り下げ補助装置について詳細に説明する。
【００１２】
本考案の吊り下げ補助装置は、昇降収納装置に備えられる吊り下げ補助装置であり、本考案の吊り下げ補助装置が備えられる昇降収納装置としては、外側ケーシング内に配されたラックが垂直方向に昇降するように構成されたものであれば特に限定されるものではなく、又、当該昇降収納装置におけるラックの昇降動作を行う昇降手段についても特に限定されるものではなく、例えば、電動モータなどの電動手段によりラックを昇降させる「電動式」のものであっても、ラックの重量と同じかそれよりやや重いカウンターウェイトを用いたいわゆる「吊り合い式」のものであっても、或いはラックを吊り下げるためのワイヤ、前記ワイヤを巻き回すためのワイヤドラム、及び前記ワイヤドラムに付勢力を与える付勢手段で構成された「ドラム式」のものなどであっても良い。
【００１３】
そして、本考案の吊り下げ補助装置は、前記昇降収納装置におけるラックを吊り下げるための「紐状部材」及び前記紐状部材を巻き回すための「ドラム部材」からなる。
【００１４】
即ち、本考案の吊り下げ補助装置は、紐状部材の一端をラックに適宜接続すると共に、該紐状部材の他端をドラム部材に巻き回すことによりラックを吊り下げ、もって、昇降収納装置におけるラックの昇降手段を補助するものである。
【００１５】
ここで、前記「紐状部材」としては、ドラム部材に巻き回し得る程度の柔軟性と、ラックを吊り下げ得る程度の引張強度を有するものであれば、その素材や形状としては特に限定されるものではなく、天然繊維や合成繊維などの繊維素材、天然ゴムや合成ゴムなどのゴム素材、プラスチック素材、又は金属素材などを適宜選択し、これを糸状、紐状、帯状、ベルト状、ロープ状、チェーン状、或いはワイヤ状などに加工したものを用いれば良いのであるが、一般的には、比較的細く加工しても高い強度を維持し得る金属ワイヤが好適に用いられる。
【００１６】
又、前記「ドラム部材」としては、前記紐状部材を巻き回し得る形状のものであれば特に限定されるものではない。
【００１７】
ここで、ドラム部材として定荷重バネ（コンストンバネ）のような、ドラム部材自体が紐状部材を引き込んで巻き取る作用を有しているものを用いた場合には、紐状部材を巻き取るための外力は特に必要なくなるため、本考案の吊り下げ補助装置の構造がコンパクトになる利点がある。
【００１８】
一方、ドラム部材として、単に胴体部周囲に紐状部材を巻き回すような構造のものを用いた場合には、紐状部材を巻取るための外力として電動手段や弾性部材などを備える必要があるが、耐久性に優れ、長期間の使用に耐え得るといった利点がある。
【００１９】
前記電動手段としては、ドラム部材における胴体部に回転力を与えるものであれば特に限定されるものではなく、一般的には、電動モータなどを好適な例として挙げることができる。
【００２０】
なお、前記電動手段の回転力をドラム部材に伝達する手段としては、ギヤやベルト或いはチェーンなどを介して間接的に伝達しても良いが、本考案の吊り下げ補助装置の構造を簡単且つコンパクトにするために、１ないし複数個の電動モータを用い、この電動モータの回転軸にドラム部材を配し、電動モータの回転が直接ドラム部材の回転運動へと伝達されるように構成することが好ましい。
【００２１】
又、前記弾性部材としては、ドラム部材における胴体部の回転に付勢力を与えるものであれば、特に限定されるものではなく、板バネ、渦巻きバネ又はコイルバネなどの各種公知の弾性部材を適宜選択して用いれば良いのであるが、中でもドラム部材の回転軸に直接取り付けることができる渦巻きバネやコイルバネを用いることが好ましく、本考案の吊り下げ補助装置においては、特に、ストロークを長くとることができ、しかも求められる付勢力やサイズ、或いは強度などについて比較的選択の幅が広いコイルバネが一般的に用いられる。
【００２２】
なお、前記弾性部材の付勢力をドラム部材に伝達する手段としては、ギヤやベルト或いはチェーンなどを介して間接的に伝達しても良いが、本考案の吊り下げ補助装置の構造を簡単且つコンパクトにするために、１ないし複数個のコイルバネを用い、このコイルバネの一端若しくは両端にドラム部材を配し、コイルバネのねじれが直接ドラム部材の回転運動へと伝達されるように構成することが好ましい。
【００２３】
ところで、本考案の吊り下げ補助装置において、紐状部材を巻取るための外力として弾性部材を用いた場合、ドラム部材として、前記紐状部材の巻き付け半径が連続的ないし段階的に小さくなる可変トルクドラムを用いることが特に好ましい。
【００２４】
即ち、本考案の吊り下げ補助装置において、前記ドラム部材として可変トルクドラムを用いると、弾性部材の付勢力の増減に応じてドラム部材の回転トルクが変化し、もって、ラックの昇降動作に要する操作力の変化を緩和することができるのである。
【００２５】
更に詳しく説明すれば、本考案の吊り下げ補助装置として、ラックを吊り下げるための紐状部材、前記紐状部材を巻き回すためのドラム部材、及び前記ドラム部材の回転に付勢力を与えるための弾性部材からなる構成を採用した場合においては、ラックが外側ケーシングに納まっている状態においてドラム部材における紐状部材の巻き付け量は最大となり、弾性部材から発生する付勢力は最小となる。
【００２６】
次に、外側ケーシングからラックを引き下げると、ドラム部材が回転すると共にドラム部材に巻き回された紐状部材が引き出されるのであり、この際、弾性部材から発生する付勢力が徐々に増加し、最下点において最大となる。
【００２７】
一方、最下点にあるラックを持ち上げると、再びドラム部材に紐状部材が巻き回され、弾性部材から発生する付勢力が徐々に減少する。
【００２８】
この点につき、本考案機構において、前記ドラム部材として、前記紐状部材の巻き付け半径が連続的ないし段階的に小さくなる可変トルクドラムを用いると、弾性部材から発生する付勢力が小さい時点では、ドラムに巻き回された紐状部材の位置（作用点）がドラムの中心から近いところにあるために、回転トルクが小さくなり、一方、弾性部材から発生する付勢力が大きい時点では、ドラムに巻き回された紐状部材の位置（作用点）がドラムの中心から遠いところに移動するために、回転トルクが大きく得られるのであり、即ち、ドラムに巻き回された紐状部材の作用点が、ドラムへの紐状部材の巻き回し量に応じて移動するため、ラックの昇降に要する操作力が安定するのである。
【００２９】
ここで、前記「可変トルクドラム」としては、紐状部材の巻き付け半径が連続的ないし段階的に小さくなるものであれば特に限定されるものではないが、具体的に例えば、ドラム部材の胴体部（紐状部材を巻き回す部分）にテーパや渦巻き状の段差を設けて、前記胴体部における半径の大きい位置に紐状部材の一端を固定し、紐状部材を巻取るにつれて、紐状部材の巻取り位置が前記胴体部における半径の小さい位置に移動するように構成したものなどを挙げることができる。
【００３０】
なお、前記可変トルクドラムの胴体部には、適宜溝やガイドなどの案内部を設けて、紐状部材の巻取りが安定且つスムーズに行えるようにすることが好ましい。
【００３１】
そして、本考案の吊り下げ補助装置においては、更に、ラックと紐状部材との接続状態を維持／解除するための切り替え手段が備えられる。
【００３２】
即ち、本考案の吊り下げ補助装置においては、特に、前記ラックと前記紐状部材との接続状態を維持／解除するための切り替え手段が備えられているから、ラック内に収納されている荷物の量の多少に応じて、前記ラックと前記紐状部材との接続状態を維持したり解除したりすることができるのであり、これより、ラック内に収納されている荷物の量にかかわらず、ラックの昇降動作に要する操作力の変化を緩和することができるのである。
【００３３】
更に詳しくは、ラック内に収納されている荷物の量が少ないときは、前記ラックと前記紐状部材との接続状態を解除することにより、ラックの引き下げ作業時に負担が生じないようにすると共にラックの押し上げ作業時のラックの急上昇を防止するのであり、一方、ラック内に収納されている荷物の量が多いときは、前記ラックと前記紐状部材との接続状態を維持することにより、昇降手段に掛かる負担を緩和すると共に使用者による昇降作業を容易にするのである。
【００３４】
なお、この切り替え手段については、使用者が任意に操作して、前記ラックと前記紐状部材との接続状態を切替えるものであっても、ラック内の荷物の量をセンサーなどにより感知して、自動的に前記ラックと前記紐状部材との接続状態を切替えるものであっても良いのであり、特に限定されるものではないが、具体的な構成としては、例えば、ラックに掛け金（受け金）などの係止部（係合部）を備えると共に、紐状部材の一端に受け金（掛け金）などの係合部（係止部）を備え、使用者の任意の操作により、または、センサーの感知により、前記係止部と前記係合部を係止したり、解除したりすることにより、その接続状態が切り替えられるものを好適な例として挙げることができる。
【００３５】
そして、本考案の吊り下げ補助装置は、外側ケーシング内に配されたラックが垂直方向に昇降するように構成されてなる昇降収納装置におけるラックの昇降動作を補助する装置として、該昇降収納装置に備えられるのであり、これより、ラック内に収納されている荷物の量にかかわらず、ラックの昇降動作に要する操作力の変化を緩和し、安定した昇降動作を実現することができるのである。
【００３６】
そして、本考案の吊り下げ補助装置を備えてなる昇降収納装置は、主としてキッチンや厨房の高所に備え付けられてその使用に供されるのであるが、キッチンや厨房のみの使用・用途に限らず、例えば、本棚や物置その他の各種物品を収納するための収納装置や、各種店舗の陳列棚などとしての使用も可能である。
【００３７】
又、本考案の吊り下げ補助装置を備えてなる昇降収納装置においては、ラック内に収納されている荷物の量にかかわらず、ラックの昇降動作に要する操作力の変化を緩和し、安定した昇降動作を実現することができることから、比較的大型で自重の大きいラックを備えた昇降収納装置とすることも可能であり、例えば、外側ケーシング及びラックをコーナー形状に形成し、キッチンコーナーなどにおいてＬ字型の大型収納装置などとして使用することにより、一般にデッドスペースとなりがちなキッチンコーナーなどの余剰スペースを有効に活用することもできるのである。
【考案の効果】
【００３８】
本考案は、前記構成を有し、ラック内に収納されている荷物の量にかかわらず、ラックの昇降動作に要する操作力の変化を緩和し、安定した昇降動作を実現した新規な吊り下げ補助装置である。
【００３９】
即ち、昇降収納装置におけるラックの昇降動作を補助する装置として、本考案の吊り下げ補助装置を備えれば、ラック内に収納されている荷物の量の多少に応じて、前記ラックと前記紐状部材との接続状態を解除したり維持したりすることにより、ラック内に収納されている荷物の量にかかわらず、ラックの昇降動作に要する操作力の変化を緩和することができ、安定した昇降動作を実現することができるのである。
【考案を実施するための最良の形態】
【００４０】
以下、本考案の実施例を説明するが、本考案はこの実施例に限定されるものではない。
【００４１】
図１は、実施例１及び２に係る本考案の吊り下げ補助装置１を備えてなる昇降収納装置２を示す斜視図であり、この昇降収納装置２は、中空直方体の外側ケーシング３内に配された箱型のラック４が、外側ケーシング３の内壁側面に設けたガイド（図示せず）に沿って垂直方向に昇降するように構成されたものである。
【実施例１】
【００４２】
図２は、実施例１に係る本考案の吊り下げ補助装置１を備えてなる昇降収納装置２を示す透過図（（ａ）側面図、（ｂ）上面図）であり、この昇降収納装置２には、前記ラック４を吊り下げるための紐状部材２１としての金属ワイヤ、前記紐状部材２１を巻き回すためのドラム部材２２、及びこのドラム部材２２の回転に応じて前記ラック４の昇降動作に対して付勢力を与えるための弾性部材２３としてのコイルバネからなる「吊り下げ式」の昇降手段が採用されている。
【００４３】
即ち、この昇降手段は、紐状部材２１の一端にラック４を固定すると共に、該紐状部材２１の他端をドラム部材２２に巻き回すことによりラック４を吊り下げるものであり、ドラム部材２２への紐状部材２１の巻き回し量に応じて、外側ケーシング３からのラック４の隔離距離が決定されるのである。
【００４４】
又、この昇降手段には、前記ドラム部材２２の回転に応じてねじられ、このねじりに対する反発力により、前記ラック４の昇降動作に対して付勢力を与えるコイルバネ２３（２３ａ、２３ｂ）が備えられており、このコイルバネ２３（２３ａ、２３ｂ）による付勢力は、ラック４の急落を防止したり、ラック４の持ち上げ動作に補助力を与えたりするものである。
【００４５】
なお、本実施例において、コイルバネ２３（２３ａ、２３ｂ）はドラム部材２２の両軸２箇所に配されている。
【００４６】
そして、本実施例における昇降収納装置２には、当該昇降収納装置２におけるラック４の昇降手段を補助する装置として、本考案の吊り下げ補助装置１が備えられている。
【００４７】
この吊り下げ補助装置１は、前記ラック４を吊り下げるための紐状部材１１としての金属ワイヤ、前記紐状部材１１を巻き回すためのドラム部材１２としての定荷重バネ（コンストンバネ）からなり、特に、前記ラック４と前記紐状部材１１との接続状態を維持／解除するための切り替え手段５が備えられている。
【００４８】
この切り替え手段５は、ラック４に取り付けられた係止部５１としての掛け金と、紐状部材５の一端に備えられた係合部５２としての受け金からなり、使用者が係止部５１にリンクしている切り替えレバー５３を操作することにより、前記係止部５１と前記係合部５３を係止したり、解除したりすることができ、その接続状態を任意に切り替えることができるのである。
【００４９】
そして、本実施例に係る昇降収納装置２においては、ラック４内に収納されている荷物の量が少ないときには、図３（ａ）及び（ｂ）に示すように、切り替えレバー５３の先端を下方向に向くように操作し、係止部５１と係合部５２の接続状態を解除することにより、吊り下げ補助装置１の補助力を無効にし、もって、ラック４の引き下げ作業時に負担が生じないようにすると共にラック４の押し上げ作業時のラック４の急上昇を防止するのである。
【００５０】
一方、ラック４内に収納されている荷物の量が多いときは、図３（ｃ）及び（ｄ）に示すように、切り替えレバー５３の先端を上方向に向くように操作し、係止部５１と係合部５２の接続状態を維持することにより、吊り下げ補助装置１の補助力を有効にし、昇降手段に掛かる負担を緩和すると共に使用者による昇降作業を容易にするのである。
【００５１】
即ち、本実施例に係る昇降収納装置２においては、該昇降収納装置２におけるラック４の昇降手段を補助する装置として、前記ラック４と前記紐状部材１１との接続状態を任意に解除したり維持したりすることができる本考案の吊り下げ補助装置１を備えているから、ラック４内に収納されている荷物の量にかかわらず、ラック４の昇降動作に要する操作力の変化を緩和することができ、安定した昇降動作を実現することができるのである。
【実施例２】
【００５２】
図４は、実施例２に係る本考案の吊り下げ補助装置１を備えてなる昇降収納装置２を示す透過図（（ａ）側面図、（ｂ）上面図）であり、この昇降収納装置２には、前記ラック４を吊り下げるための紐状部材２１としての金属ワイヤ、前記紐状部材２１を巻き回すためのドラム部材２２としての可変トルクドラム、及びこのドラム部材２２の回転に応じて前記ラック４の昇降動作に対して付勢力を与えるための弾性部材２３としてのコイルバネからなる「吊り下げ式」の昇降手段が採用されている。
【００５３】
即ち、この昇降手段は、紐状部材２１の一端にラック４を固定すると共に、該紐状部材２１の他端をドラム部材２２に巻き回すことによりラック４を吊り下げるものであり、ドラム部材２２への紐状部材２１の巻き回し量に応じて、外側ケーシング３からのラック４の隔離距離が決定されるのである。
【００５４】
又、この昇降手段には、前記ドラム部材２２の回転に応じてねじられ、このねじりに対する反発力により、前記ラック４の昇降動作に対して付勢力を与えるコイルバネ２３が備えられており、このコイルバネ２３による付勢力は、ラック４の急落を防止したり、ラック４の持ち上げ動作に補助力を与えたりするものである。
【００５５】
なお、本実施例において、ドラム部材２２（２２ａ、２２ｂ）は、コイルバネ２３の両端２箇所に配されている。
【００５６】
そして、本実施例における昇降収納装置２には、当該昇降収納装置２におけるラック４の昇降手段を補助する装置として、本考案の吊り下げ補助装置１が備えられている。
【００５７】
この吊り下げ補助装置１は、前記ラック４を吊り下げるための紐状部材１１としての金属ワイヤ、前記紐状部材１１を巻き回すためのドラム部材１２としての可変トルクドラム、及び紐状部材１１を巻取るための外力としての弾性部材（コイルバネ）１３からなり、特に、前記ラック４と前記紐状部材１１との接続状態を維持／解除するための切り替え手段５が備えられている。
【００５８】
この切り替え手段５は、ラック４に取り付けられた係止部５１としての掛け金と、紐状部材５の一端に備えられた係合部５２としての受け金からなり、使用者が係止部５１にリンクしている切り替えレバー５３を操作することにより、前記係止部５１と前記係合部５３を係止したり、解除したりすることができ、その接続状態を任意に切り替えることができるのである。
【００５９】
そして、本実施例に係る昇降収納装置２においては、ラック４内に収納されている荷物の量が少ないときには、図５（ａ）及び（ｂ）に示すように、切り替えレバー５３の先端を下方向に向くように操作し、係止部５１と係合部５２の接続状態を解除することにより、吊り下げ補助装置１の補助力を無効にし、もって、ラック４の引き下げ作業時に負担が生じないようにすると共にラック４の押し上げ作業時のラック４の急上昇を防止するのである。
【００６０】
一方、ラック４内に収納されている荷物の量が多いときは、図５（ｃ）及び（ｄ）に示すように、切り替えレバー５３の先端を上方向に向くように操作し、係止部５１と係合部５２の接続状態を維持することにより、吊り下げ補助装置１の補助力を有効にし、昇降手段に掛かる負担を緩和すると共に使用者による昇降作業を容易にするのである。
【００６１】
図６は、本考案の吊り下げ補助装置１におけるドラム部材１２として用いられる可変トルクドラムを示す模式図（（ａ）正面図、（ｂ）側面図）であり、ドラム１２におけるフランジ１２１から胴体部（巻き取り部）１２２中心に向かってアール（Ｒ）が徐々に小さくなる渦巻き状の段差を設けたものであり、格段差の側面には紐状部材１１の巻取りを安定且つスムーズに行うためのガイドとしての溝部１２３が設けられている。
【００６２】
即ち、この可変トルクドラムにおけるフランジ１２１のエッジ近辺に紐状部材１１の一端を固定し、溝部１２３に沿うようにして紐状部材１１を巻き回すと、その巻き回し量に応じて紐状部材１１の巻き付け半径が小さくなるのである。
【００６３】
なお、本実施例の昇降収納装置２における昇降手段に用いられるドラム部材２２についても、同様の可変トルクドラムが用いられている。
【００６４】
即ち、本実施例に係る昇降収納装置２は、吊り下げ補助装置１におけるドラム部材１２及び昇降手段におけるドラム部材２２として、紐状部材１１（２１）の巻き付け半径が連続的ないし段階的に小さくなる可変トルクドラムを用いた以外は前記実施例１とほぼ同様であり、係る可変トルクドラムを用いているから弾性部材１３（２３）の付勢力の増減に応じてドラム部材１２（２２）の回転トルクが変化し、もって、ラック４の昇降動作に要する操作力の変化を緩和することができるのである。
【実施例３】
【００６５】
図７は、実施例３に係る本考案の吊り下げ補助装置１を備えてなる昇降収納装置２を示す斜視図であり、この昇降収納装置２は、コーナー形状の外側ケーシング３内に配されたコーナー形状のラック４が、外側ケーシング３の内壁側面に設けたガイド（図示せず）に沿って垂直方向に昇降するように構成されたものである。
【００６６】
そして、図８の透過図に示すように、この昇降収納装置１においても前記実施例２と同様に、前記ラック４を吊り下げるための紐状部材２１としての金属ワイヤ、前記紐状部材２１を巻き回すためのドラム部材２２としての可変トルクドラム、及びこのドラム部材２２の回転に応じて前記ラック４の昇降動作に対して付勢力を与えるための弾性部材２３としてのコイルバネからなる「吊り下げ式」の昇降手段が採用されている。
【００６７】
そして、本実施例における昇降収納装置２には、当該昇降収納装置２におけるラック４の昇降手段を補助する装置として、前記ラック４を吊り下げるための紐状部材１１としての金属ワイヤ、前記紐状部材１１を巻き回すためのドラム部材１２としての可変トルクドラム、及び紐状部材１１を巻取るための外力としての弾性部材（コイルバネ）１３からなり、特に、前記ラック４と前記紐状部材１１との接続状態を維持／解除するための切り替え手段５が備えられている本考案の吊り下げ補助装置１が備えられている。
【００６８】
即ち、本実施例の昇降収納装置１は、前記実施例２の昇降収納装置２における外側ケーシング３及びラック４をコーナー形状に形成したものであり、本考案の吊り下げ補助装１置を備えているから、収納する荷物量の変化の割合が大きい大型収納装置として使用しても、ラック４の昇降動作に要する操作力の変化を緩和し、安定した昇降動作を実現することができ、一般にデッドスペースとなりがちなキッチンコーナーなどの余剰スペースを有効に活用することができるのである。
【００６９】
その余は、前記実施例２とほぼ同様であるので、繰り返しを避けるため、ここでは説明を省略する。
【図面の簡単な説明】
【００７０】
【図１】図１は、実施例１及び２に係る本考案の吊り下げ補助装置を備えてなる昇降収納装置を示す斜視図である。
【図２】図２は、実施例１に係る本考案の吊り下げ補助装置を備えてなる昇降収納装置を示す透過図である。
【図３】図３は、実施例１に係る本考案の吊り下げ補助装置を備えてなる昇降収納装置の作動状態を示す透過図である。
【図４】図４は、実施例２に係る本考案の吊り下げ補助装置を備えてなる昇降収納装置を示す透過図である。
【図５】図５は、実施例２に係る本考案の吊り下げ補助装置を備えてなる昇降収納装置の作動状態を示す透過図である。
【図６】図６は、実施例２において好適に用いられる可変トルクドラムを示す模式図である。
【図７】図７は、実施例３に係る本考案の吊り下げ補助装置を備えてなる昇降収納装置を示す斜視図である。
【図８】図８は、実施例３に係る本考案の吊り下げ補助装置を備えてなる昇降収納装置を示す透過図である。
【符号の説明】
【００７１】
１  吊り下げ補助装置
１１  紐状部材
１２  ドラム部材
１３  弾性手段
２  昇降収納装置
２１  紐状部材
２２  ドラム部材
２３  弾性手段
３  外側ケーシング
４  ラック
５  切り替え手段
５１  係止部
５２  係合部
５３  切り替えレバー
【図１】
0003123175.tif 000003
【図２】
0003123175.tif 000004
【図３】
0003123175.tif 000005
【図４】
0003123175.tif 000006
【図５】
0003123175.tif 000007
【図６】
0003123175.tif 000008
【図７】
0003123175.tif 000009
【図８】
0003123175.tif 000010